(57)【要約】      （修正有）【課題】スポークの交換作業に要する時間を短縮し、且つ要する費用を安価にすることができる、スポーク工作機を提供する。【解決手段】スポークヘッド及びエルボ部をレの字状に成型する受け型及び押し型と、その成型に必要な加圧用ハンドル及び任意のスポーク長を求める為のカッター部と、スポーク成型時にスポークがズレない為のガイド溝及びスポーク固定版を設けたスポーク工作機。【選択図】図２
2015037794.tif 000002
【特許請求の範囲】
【請求項１】
自転車用スポークのヘッド及びエルボ部を任意の形に成型し、且つスポーク長を任意の長さにカットするスポーク工作機。
【発明の詳細な説明】
【技術分野】
【０００１】  この発明は、自転車用スポークの工作機に関する。
【背景技術】
【０００２】  従来量販自転車用の車輪は、先端部、即ちヘッド部を車輪中央にある丸ハブ穴に係止したスポークの末端部をリムにネジで接続している構造である。従って、丸ハブ穴用スポークの取替えには、自転車本体から車輪全体を取り外し、その上でリムとハブからスポークを取り外し、取り外した後に、長さの合致するスポークを取り付けるのが通常である。
【先行技術文献】
【特許文献】
【０００３】  無し
【非特許文献】
【０００４】  無し
【発明の概要】
【発明が解決しようとする課題】
【０００５】  しかしながら以上の技術によれば、１〜２本程度のスポークの交換に、車輪全体を自転車本体から外し、その上で長さの合致する既存のスポークを探し、スポークの両端部をハブ及びリムに取り付けた後に自転車に車輪を収めると云う煩雑な工程を要する。プロの作業時間にして３０分〜４５分。費用にして１０００円〜７０００円である。そこで本発明は、作業時間を短縮し且つスポークの修理者及び被修理者の費用も安価に提供する事を課題とする。
【課題を解決するための手段】
【０００６】  以上の課題を解決するために、まずスポークの概要を説明する。スポークはヘッド、エルボ、胴およびネジで構成されており、ヘッド（頭）はスポーク外径よりも大きく、ハブのスポーク穴から抜けないようにする機能がある。エルボ（ひじ）はひじのように曲がり、スポークをリムの方へ向ける。その曲げ角（エルボ角）は、直角（９０°）よりやや大きく９５°〜１００°  となっている。また、胴はハブとリムの間にくる部分で、形状はずん胴（ストレートまたはプレーン）の他、各種のものがある。そして、ネジであるが、胴端のネジには、ニップル（乳首）と呼ばれる内ネジを切った専用ナットをねじ込んで、スポークをリムに固定すると同時に初期張力を設定する。長さは概ね７種類であるが、厳密には多種に亘る。【０００７】    従って、前述の如きスポークの機能を満足し、且つ任意のスポーク長に整え、簡単便利にスポーク交換が出来る図１のＢの如きスポークを製作する事が望ましいと考えた。【０００８】    以上の課題を解決するために、本発明はスポークヘッド及びエルボ部を成型する受け型及び押し型と、その成型に必要な加圧用ハンドル及び任意のスポーク長を求める為の寸法目盛り及びカッター部。そしてスポーク成型時にスポークがズレない為のガイド溝及びスポーク固定板を設けたスポーク工作機である。【０００９】  本発明によれば、長尺の既存スポークが１種類のみの在庫で済み、スポークの交換時間も１５分ほどで終了する。
【図面の簡単な説明】
【０００１０】
【図１】本発明に関わる自転車の一般的ハブ構造と、スポークの実施形態を示す正面図と部分図である。
【図２】本発明の一実施形態を示す斜視図である。
【図３】本発明の一実施形態を示す側面図である。
【図４】本発明の一実施形態を示す俯瞰図である。
【図５】本発明の一実施形態を示す正面図である。
【発明を実施するための形態】
【０００１１】  本発明の一実施形態を、図１と図２に示す。まず図１のＡの如き既存スポークの場合は、エルボからヘッドまでの上部を切断する。エルボ及びヘッドの無いストレートスポークの場合は、そのまま使用に備える。
【０００１２】  図２の▲６▼のネジを緩め、▲５▼の固定板直下▲４▼のスポークガイド溝にスポークヘッド側を▲２▼の受け型先端部に向けて通し、▲１７▼の目盛りでスポーク長を測り、任意の位置で▲６▼のネジを締めてスポークを固定する。後に、▲３▼の加圧ハンドルを押し下げれば、押し型及び受け型でスポークのエルボ及びヘッド部分を形成し、併せて連動する▲９▼のカッター部で余分なスポーク部分を切断して図１のＢの如きスポークヘッド及びエルボ部を形成し、簡単にスポーク交換が出来る自転車用スポークに成型する工作機である。
【実施形態の効果】
【０００１３】  この実施形態に於いて、スポークガイド溝及びスポーク固定板は、当該スポークを良く固定し、加圧ハンドルはジョイント金具を支点とした梃子の原理で容易に作動し、押し型及び受け型と連動し、スポークヘッド部及びエルボ部を成型し、且つカッター部で任意の長さにスポークを切断した。また、この工作機で製作したスポークは、自転車のハブ及びリムに簡単便利に着脱できた。
【他の実施形態】
他の実施形態では、押し型及び受け型を換える事によって、いかなる任意のスポークヘッド及びエルボ部も成型できる。
【産業上の利用可能性】
【０００１４】  既存の同様な製品は全く無く、前述の如くスポーク交換には可也の煩雑さと、各寸法に応じたスポークのストックと云う経費とストックヤードの無駄があった。然しながら本発明はこれらの不足を全て補う画期的なものである。
【符号の説明】
【０００１５】Ａ  既存のスポークヘッド及びエルボ部  Ｂ  当該工作機で作ったスポークヘッド及びエルボ部  Ｃ  一般的ハブの平面図  Ｄ  車軸に固定されたハブの正面図  ▲１▼  台座  ▲２▼  受け型  ▲３▼  加圧ハンドル  ▲４▼  スポークガイド溝  ▲５▼  スポーク固定板  ▲６▼  スポーク固定板用ネジ  ▲７▼  押し型  ▲８▼  押し型ガイドピン  ▲９▼  カッター  ▲１０▼  各部材ジョイントピン  ▲１１▼  Ｅクリップ  ▲１２▼  ジョイント板  ▲１３▼  コイルバネ  ▲１４▼  ネジ穴  ▲１５▼  カッター固定用ネジ  ▲１６▼  受け型固定用ネジ  ▲１７▼  寸法目盛り
【図１】
2015037794.tif 000003
【図２】
2015037794.tif 000004
【図３】
2015037794.tif 000005
【図４】
2015037794.tif 000006
【図５】
2015037794.tif 000007
【手続補正書】
【提出日】平成24年4月26日(2012.4.26)
【手続補正１】
【補正対象書類名】特許請求の範囲
【補正対象項目名】全文
【補正方法】変更
【補正の内容】
【特許請求の範囲】
【請求項１】
自転車用スポークのヘッド及びエルボ部を任意の略クサビ形に成型し、且つスポーク長を任意の長さにカットするスポーク工作機。
【手続補正２】
【補正対象書類名】明細書
【補正対象項目名】０００７
【補正方法】変更
【補正の内容】
【０００７】    従って、前述の如きスポークの機能を満足し、且つ任意のスポーク長に整え、簡単便利にスポーク交換が出来る図１のＢの如きエルボ部からスポーク先端にかけて略クサビ形をしたスポークを製作する事が望ましいと考えた。
【手続補正３】
【補正対象書類名】明細書
【補正対象項目名】０００１２
【補正方法】変更
【補正の内容】
【０００１２】  図２の▲６▼のネジを緩め、▲５▼の固定版直下▲４▼のスポークガイド溝にスポークヘッド側を▲２▼の受け型先端部に向けて通し、▲１７▼の目盛りでスポーク長を測り、任意の位置で▲６▼のネジを締めてスポークを固定する。後に、▲３▼の加圧ハンドルを押し下げれば、押し型及び受け型でスポークのエルボ部及びヘッド部分を形成し、併せて連動する▲９▼のカッター部で余分なスポーク部分を切断して図１のＢの如き略クサビ形のスポークヘッド及びエルボ部を形成し、簡単にスポーク交換が出来る自転車用スポークに成型する工作機である。
【手続補正４】
【補正対象書類名】明細書
【補正対象項目名】０００１３
【補正方法】変更
【補正の内容】
【０００１３】  他の実施形態では、押し型及び受け型を換える事によって、いかなる略クサビ形のスポークヘッド及びエルボ部も成型できる。